(57)【要約】 【課題】把手の外面にバリエーション（多様性）を与えること。【解決手段】把手本体と、この把手本体とは別体に成形された１枚の板片であり、かつ、把手本体の一端部から他端部に亘って装着される化粧板と、この化粧板の端部の内側に設けられ、かつ、外部から固定手段を挿入すると、該化粧板を前記把手本体に固定する結合具とから成る開閉体用把手。【選択図】  図６
2008025117.tif 000002
【特許請求の範囲】
【請求項１】
把手本体と、この把手本体とは別体に成形された１枚の板片であり、かつ、把手本体の一端部から他端部に亘って装着される化粧板と、この化粧板の端部の内側に設けられ、かつ、外部から固定手段を挿入すると、該化粧板を前記把手本体に固定する結合具とから成る開閉体用把手。
【請求項２】
請求項１に於いて、化粧板の端部は内側に折り曲げ形成され、また、この折り曲げた部分には支持孔が形成され、該支持孔に結合具の一部が嵌め込まれていることを特徴とする開閉体用把手。
【請求項３】
請求項１又は請求項２に於いて、把手本体の取付け部分には、少なくとも結合具を収納する切欠空間が形成されていることを特徴とする開閉体用把手。
【請求項４】
請求項１に於いて、化粧板の端部は、把手本体の取付け部分に面接触するように鉤状に折り曲げ形成されていることを特徴とする開閉体用把手。
【請求項５】
請求項１に於いて、結合具は、折り曲げ端部の内側に位置する大径筒部と、該大径筒部に連設して前記折り曲げ端部の支持孔に固定的に嵌入する嵌入部を有する第１結合片と、この第１結合片に嵌入状態で合体する固定手段用第２結合片とから成ることを特徴とする開閉体用把手。
【請求項６】
請求項５に於いて、第２結合片は螺合筒であり、一方、固定手段は螺合筒に螺合するネジであり、このネジを取り外すと、化粧板は結合具と共に、把手本体から取り外し自在であることを特徴とする開閉体用把手。
【請求項７】
請求項１に於いて、把手本体には、化粧板用の帯状嵌合溝が形成されていることを特徴とする開閉体用把手。
【発明の詳細な説明】
【技術分野】
【０００１】
本発明の開閉体用把手に関する。
【背景技術】
【０００２】
例えば特許文献１の図１及び図２には、プッシュプル錠用の把手が記載されている。また特許文献２の図１及び図２には、ハンドル錠の把手が記載されている。また、特許文献３や特許文献４にも、プッシュプル錠用の把手が記載されている。特許文献１乃至特許文献４の記載から明らかなように、従来のプッシュプル錠用の長杆状の把手は、把手の外面それ自体にバリエーション（多様性）を与えることを目的とするものではない。
【０００３】
また、普通一般に使用されている開閉体用把手、例えば特許文献５の図１には、軸部と、該軸部に連設する握り部とからなるＬ型形状の建具用のレバーハンドルが記載されているが、このような普通一般に使用されているＬ型形状把手の場合も、把手の外面それ自体にバリエーション（多様性）を与えることを目的とするものではない。
【特許文献１】特開２０００−１１０４２９号公報
【特許文献２】実公平７−５２２９６号公報
【特許文献３】特許公開平１０−２２００８３号公報
【特許文献４】特許公開２００２−７０３８６号公報
【特許文献５】特開平１１−８１７５２号公報
【発明の開示】
【発明が解決しようとする課題】
【０００４】
本発明の所期の目的は、把手の外面にバリエーション（多様性）を与えること。第２の目的は、視覚上、把手本体に対して化粧板を固定或いは結合した箇所が見えないこと。また、扉の壁面に取り付ける際、結合具４が障害物にならないこと。第３の目的は、化粧板を把手本体に固定する際、化粧板を把手本体に簡単に固定することができること。その他、固定手段（例えばネジ）を結合具から取り外すと、化粧板は結合具と共に、把手本体から簡単に取り外すことができることである。
【課題を解決するための手段】
【０００５】
本発明の開閉体用把手は、把手本体と、この把手本体とは別体に成形された１枚の板片であり、かつ、把手本体の一端部から他端部に亘って装着される化粧板と、この化粧板の端部の内側に設けられ、かつ、外部から固定手段を挿入すると、該化粧板を前記把手本体に固定する結合具とから成る。
【０００６】
上記構成に於いて、化粧板の端部は内側に折り曲げ形成され、また、この折り曲げた部分には支持孔が形成され、該支持孔に結合具の一部が嵌め込まれている。また、把手本体の取付け部分には、少なくとも結合具を収納する切欠空間が形成されている。また、化粧板の端部は、把手本体の取付け部分に面接触するように鉤状に折り曲げ形成されている。
【０００７】
また、結合具は、折り曲げ端部の内側に位置する大径筒部と、該大径筒部に連設して前記折り曲げ端部の支持孔に固定的に嵌入する嵌入部を有する第１結合片と、この第１結合片に嵌入状態で合体する固定手段用第２結合片とから成る。しかも、前記結合具の第２結合片は螺合筒であり、一方、固定手段は螺合筒に螺合するネジであり、このネジを取り外すと、化粧板は結合具と共に、把手本体から取り外し自在である。加えて、把手本体には、化粧板用の帯状嵌合溝が形成されている。
【発明の効果】
【０００８】
（１）化粧板は、把手本体とは別体に成形された１枚の板片であるから、把手本体に対して、色々な形状、色彩、模様を有する化粧板を把手本体に係合することができる。したがって、把手の外面にバリエーション（多様性）を与えることができる。
（２）視覚上、把手本体に対して化粧板を固定或いは結合した箇所が見えないから、見栄えが良いのみならず、扉の壁面に取り付ける際、結合具４が障害物にならない。
（３）化粧板は、把手本体に固定するための結合具を備えているから、化粧板を把手本体に固定する際、化粧板を把手本体に簡単に固定することができる。
（４）その他、把手本体が帯状嵌合溝を有する場合には、化粧板を把手本体に簡単に装着することができる、固定手段（例えばネジ）を結合具から取り外すと、化粧板は結合具と共に、把手本体から簡単に取り外すことができる等の優れた効果がある。
【発明を実施するための最良の形態】
【０００９】
以下、図１乃至図１２に示す本発明を実施するための最良の形態により説明する。なお、本発明の縦、横等の使用態様如何に拘らず、ここでは図１を正面図とする。したがって、図２は左側面図（右側面図は左側面図と同一に表れる）、図３は底面視からの概略説明図（端部は概略断面）である。背面視からの概略説明図も底面視からの概略説明図と同じである。
【００１０】
（１）本発明の基本的構成
本発明の開閉体用把手は、図１乃至図３で示すように、把手本体１と、この把手本体１とは別体に成形された１枚の板片であり、かつ、把手本体１の一端部１ａから他端部１ｂに亘って装着される化粧板２と、この化粧板の端部２ａ，２ｂの内側に設けられ、かつ、外部から固定手段３，３を挿入すると、該化粧板２を前記把手本体１に固定する結合具４，４とから成る。本実施例では、前記結合具４は、化粧板２の両端部（図３では左右）にそれぞれ設けられているが、少なくとも一方の端部に設けても良い。把手本体１の端部、化粧板２の端部及び結合具４は左右同一なので、ここでは、説明の便宜上、一方側（図５、図６等）を具体的に図示し、重複する説明を省略する。
【００１１】
（２）開閉体用把手１
ここで、「開閉体」には、遊技機、自動車、船舶などの動産、土地に定着する建物、移動可能な組み立て建物などの不動産に用いられる開閉フロント、扉、戸などが含まれる。本発明の実施例は、片手で握ることができる長尺物なので、例えばプッシュプル錠を備えた扉の把手に適合する。
【００１２】
さて、図１で示した把手１は、例えば長杆状に形成されている。この把手１は、図１の４−４線切断端面を拡大で示した図４から明らかなように、その正面側の外面に断面凹所状の化粧板用嵌合溝５を有している。この嵌合溝５は、把手１の端部１ａ（１ｂも同じ）に形成した結合具収納用の切欠空間６を臨む正面視の一端５ａから他端５ｂに至るまで同一の幅で帯状に形成されている。
【００１３】
付言すると、把手１の両端部１ａ，１ｂに形成された左右一対の切欠空間６，６を除く、把手１の正面側の外面には、把手１の曲率に適合する化粧板用嵌合溝５が一連に形成されている。したがって。嵌合溝５を形成する長手方向の対向側壁７，７は化粧板２の厚みに対応する突壁状となっている。
【００１４】
ところで、結合具収納用の切欠空間６が形成された端部１ａ（１ｂも同じ）には、把手１の内壁面８の端部に断面Ｌ字形状（図６）或いは一部囲い形状（図５）に連設する取付け部分９が設けられていると共に、この取付け部分９の適宜箇所（図示しない扉の壁面に対向する箇所）には、固定手段３用の断面段差状貫通孔１０が形成されている。
【００１５】
（３）化粧板２
例えば図５で示すように、帯状の化粧板２は、その端部２ａ（２ｂ）が把手本体１の端部１ａ（１ｂ）に面接触するように鉤状に折り曲げ形成されている。また、化粧板２の幅は、把手１の帯状嵌合溝５にぴったりと合うように設定されている。
【００１６】
さらに、化粧板２の長さは、鉤状に折り曲げ形成された両端部２ａ，２ｂも含め、略把手１の長さに対応するように設定されている。したがって、化粧板２を把手１の嵌合溝５に嵌め込んだ場合には、図２で示すように、化粧板２の外面と把手１の対向側壁７，７の突壁面とが略面一状となる。また、化粧板２の鉤状両端部２ａ，２ｂは、把手１の切欠空間６をカバーするように収まる。付言すると、図６で示すように把手１の取付け部分９に化粧板２の鉤状端部２ａ（２ｂも同じ）が位置付けられると、鉤状端部２ａに形成された支持孔１１が把手１の取付け部分９の貫通孔１０と一致する。
【００１７】
（４）結合具４
結合具４は、化粧板２の折り曲げた端部の支持孔１１に、その一部が嵌め込まれている。本実施例の結合具４は、例えばプッシュプル錠用の把手なので、結合具４が障害物にならないこと、外観上の美観の向上を図ること等の理由から、望ましくは化粧板の折り曲げ形成された端部２ａ，２ｂの内側に設けられている。
【００１８】
また、化粧板２を把手本体１に固定する際、化粧板２を把手本体１に容易に固定することができるように、前記端部２ａ（２ｂ）に一体的に装着されている。さらに、色彩や模様が相違する多様なデザインの化粧板２と交換することができるように、外部から固定手段３を結合具４に挿入（例えば螺合）すると、化粧板２は把手本体１に固定され、一方、固定手段（例えばネジ）３を結合具４から取り外すと、化粧板２は結合具４と共に、把手本体１から簡単に取り外すことができる。
【００１９】
そこで、図６、図７乃至図１１を参照にして、結合具４の構成を説明する。本実施例の結合具４は合成樹脂材で筒状に形成され、例えば図６で示すように、折り曲げ端部２ａ（２ｂ）の内側に位置する大径筒部１５と、該大径筒部に連設して前記折り曲げ端部２ａの支持孔１１に固定的に嵌入すると共に、複数の弾性変位・弾性復帰する係止突片１６を有する第１結合片４ａと、この第１結合片４ａに嵌入状態で合体する固定手段用の筒状第２結合片４ｂとから成る。
【００２０】
しかして、第１結合片４ａの前記大径筒部１５は、強度性を持たせるためにやや肉厚に形成され、その外周面は把手本体１の切欠空間６を形成する取付け部分９の内面に多面的に面接触する。そして、例えば図７乃至図１０で示すように、大径筒部１５の一側面には、第２結合片４ｂのフランジ部１８と圧接する指状の弾性係合突片１７が単数又は複数（本実施例）が設けられ、一方、大径筒部１５の一側面に対して反対側に相当する他側面には、前述の係止突片１６が連設している。なお、係止突片１６挿入先端部には、外方向に突出する係合爪１６ａが設けられている。
【００２１】
一方、第２結合片４ｂは、例えば図１１、図１２で示すように多角形状のフランジ部１８を有する螺合筒であり、この螺合筒４ｂは、図６で示すように、第１結合片４ａに嵌入する。したがって、本実施例の固定手段３は、螺合筒４ｂに螺合するネジであり、このネジ３を取り外すと、化粧板２は結合具４と共に、把手本体１から取り外し自在である。
【実施例】
【００２２】
発明の実施の形態で示した実施例の設計変更に関して簡単に記述する。
【００２３】
（ａ）結合具４は、ニ物品で構成されているが、１つの物品で構成しても良い。結合具４を１つの物品で構成した場合、特に図示しないが、筒状の結合具４には、螺合筒１８の機能を持たせると共に、化粧板２の折り曲げ端部から容易に外れて落ちないようにすることが望ましい。
【００２４】
（ｂ）また、化粧板２の左右端部はそれぞれ内側に折り曲げ形成されているが、必ずしも実施例のように鉤状に形成する必要はない。付言すると、結合具用の支持孔１１を有する端部２ａ，２ｂを、単にアングル状に折り曲げ形成しても良い。
【００２５】
（ｃ）さらに、化粧板２を把手１の嵌合溝５に嵌め込んだ場合に於いて、図２で示すように、化粧板２の外面と把手１の対向側壁７，７の突壁面とが略面一状となっているが、例えば図１３で示す化粧板２Ａのように、断面栓体或いはキャップ体形状に形成し、嵌合溝５の嵌合する幅の短い部分２ｃと、該幅の短い部分２ｃに連設すると共に、少なくとも前記対向側壁７，７の突壁面を覆う幅広の化粧部分２ｄとから成るものであっても良い。
【００２６】
（ｄ）その他細部的事項であるが、意匠上の美観に拘泥しないのであれば、把手本体１に対する化粧板２の固定箇所及び固定構造は、本発明の所期の目的を達する限りに於いて、任意に設計変更することができる。
【産業上の利用可能性】
【００２７】
本発明は、主に錠前、建具等業界で利用される。
【図面の簡単な説明】
【００２８】
図１乃至図１２は本発明の最良の実施例を示す各説明図。
【図１】正面視からの説明図。
【図２】左側面視（又は右側面視）からの説明図。
【図３】図１を基準とする底面視からの概略説明図（端部は概略断面）。
【図４】、図１の４−４線を切断した拡大端面図。
【図５】把手本体と化粧板の各端部を示す概略説明図。
【図６】把手本体と化粧板とを結合した状態の概略断面説明図。
【図７】結合具の第１結合片の正面図（便宜上、これを正面図とする）。
【図８】図７を基準とする平面図。
【図９】図７を基準とする底面図。
【図１０】図７を基準とする左側面図。
【図１１】結合具の第２結合片（螺合筒）の正面図（便宜上、これを正面図とする）。
【図１２】図１１を基準とする平面図。
【図１３】化粧板の他の実施例を示す概略説明図。
【符号の説明】
【００２９】
1…把手本体、１ａ…一端部、１ｂ…他端部、２，２Ａ…化粧板、２ａ，２ｂ…化粧板の端部（鉤状端部）、２ｃ…幅の短い部分、２ｄ…幅広の化粧部分、３…固定手段、４…結合具、４ａ…第１結合片、４ｂ…第２結合片（螺合筒）、５…化粧板用嵌合溝、５ａ…嵌合溝の一端、５ｂ…嵌合溝の他端、６…切欠空間、７…対向側壁、９…把手本体の取付け部分、１０…貫通孔、１１…支持孔、１５…大径筒部、１６…係止突片、１６ａ…係合爪、１７…弾性係合突片、１８…フランジ部。
【図１】
2008025117.tif 000003
【図２】
2008025117.tif 000004
【図３】
2008025117.tif 000005
【図４】
2008025117.tif 000006
【図５】
2008025117.tif 000007
【図６】
2008025117.tif 000008
【図７】
2008025117.tif 000009
【図８】
2008025117.tif 000010
【図９】
2008025117.tif 000011
【図１０】
2008025117.tif 000012
【図１１】
2008025117.tif 000013
【図１２】
2008025117.tif 000014
【図１３】
2008025117.tif 000015